(57)【要約】      （修正有）【課題】ヘルメットや作業帽、警帽、野球帽等に応用でき、煩雑なケーブル装着や帽子を脱いでのイヤホンの調節等の動作を必要とせず、使用者に直接帽子体に設けたマイクロフォンとスピーカを利用して通話相手と音声のやり取りを行なう。【解決手段】帽子体上に第一低周波送受信モジュールと、該第一低周波送受信モジュールを駆動するための電池を設置し、さらに該帽子体の使用者の耳に相対する位置に、前記第一低周波送受信モジュールと接続されたスピーカを設置し、口に相対する位置に前記第一低周波送受信モジュールと接続されたマイクロフォンを設け、別途携帯通話器材には第二低周波送受信モジュールを統合して設置し、該第一及び第二低周波送受信モジュールが帽子体のスピーカ及びマイクロフォンと携帯通話器材間の無線信号伝送を構成し、使用者が直接帽子体のマイクロフォンとスピーカを利用し通話相手と対話をする。【選択図】図１
0003109070.tif 000002
【実用新案登録請求の範囲】
【請求項１】
帽子体上に第一低周波送受信モジュールと、該第一低周波送受信モジュールを駆動し動作させるための電池を設置し、さらに該帽子体の使用者の耳に相対する位置に、前記第一低周波送受信モジュールと接続されたスピーカを設置し、該帽子体の使用者の口に相対する位置に前記第一低周波送受信モジュールと接続されたマイクロフォンを設け、別途携帯通話器材には第二低周波送受信モジュールを統合して設置し、該第一及び第二低周波送受信モジュールが帽子体のスピーカ及びマイクロフォンと携帯通話器材間の無線信号伝送を構成し、使用者が直接帽子体のマイクロフォンとスピーカを利用し通話相手と対話をすることができる、無線ハンドフリー通話装置。    
【請求項２】
前記帽子体が左右の頬保護部と下顎保護部を備え、該スピーカを該帽子体の頬保護部内側に設置し、該マイクロフォンを該帽子体の下顎保護部の内側に設置した、請求項１に記載の無線ハンドフリー通話装置。
【請求項３】
前記帽子体が左右の頬保護部を備え、該頬保護部に、使用者の下顎の部位へ向って延伸した伸縮棒を設置し、該スピーカを該帽子体の頬保護部の内側に設置し、該マイクロフォンを該伸縮棒の先端に設置すると共に、該帽子体の使用者の頭部の一側面側に、使用者の耳から下顎にかかる方向に延伸した支持棒を設け、該スピーカを該支持棒の使用者の耳に対応する位置に設置し、該マイクロフォンを該支持棒の使用者の下顎に対応する位置に設置し、さらに、該帽子体上に電池を収納・設置するための電池収納槽を設けた、請求項１に記載の無線ハンドフリー通話装置。
【考案の詳細な説明】
【技術分野】
【０００１】
本考案は、ヘルメットや作業帽、警帽、野球帽等の帽子体に応用する無線ハンドフリー通話装置の構造に関し、特に、煩雑なケーブル装着の動作を必要とせず、使用者に直接帽子体のマイクロフォンとスピーカを利用して通話相手と音声のやり取りを行なうことができる、無線ハンドフリー通話装置に関する。
【背景技術】
【０００２】
自動車や二輪車の運転手は、道路使用安全法律の規定に基づき、運転中に携帯電話を手に持って通話することは禁止されているため、自動車や二輪車の運転手は、イヤホンとマイクロフォンで構成されるハンドフリー通話装置と携帯電話を接続し、手で携帯電話を握らずに通話を行なう方法が一般的である。
【０００３】
前述のイヤホンとマイクロフォンで構成されるハンドフリー通話装置は、構造が簡単であるという特性があるが、使用時にイヤホンとマイクロフォンの信号ケーブルを確実に装着する必要があり、またそうすることでイヤホンとマイクロフォンの最良の集音と発声が得られる位置に装着することができるが、それが使用上不便な点ともなり、特に使用者がヘルメットをかぶっているとき、ヘルメットが軽く揺れ動くだけで、イヤホンが抜け落ちてしまったり不適当な圧迫を感じたりすることがあり、ヘルメットを脱がなければイヤホンの調整ができず、使用上非常に不便である。またバイクの運転中は常に両手で確実にハンドルを握っていなければならず、面倒だからとバイクが静止状態にまだないときにイヤホンのケーブルや位置を直接調整しようとすると、バイクの運転上の安全性に著しく影響する。
【０００４】
その他両手で工具や機具設備を握る必要がある建設現場や工場での作業人員にも同じ状況が見られ、また軍人・警官等、職務執行または勤務時に無線通話機等の携帯通話機材を遠距離間の通話の道具として利用しなければならず、また同様に基本防護または身分識別のために帽子やヘルメットをかぶる必要があるため、従来のハンドフリー通話装置の固定が難しい構造では不便であり、職務執行や勤務中の危険の原因となることがある。
【考案の開示】
【考案が解決しようとする課題】
【０００５】
本考案は、ヘルメットや作業帽、警帽、野球帽等に応用でき、煩雑なケーブル装着や帽子を脱いでのイヤホンの調節等の動作を必要とせず、使用者に直接帽子体に設けたマイクロフォンとスピーカを利用して通話相手と音声のやり取りを行なうことができる、無線ハンドフリー通話装置の提供を目的とする。    
【課題を解決するための手段】
【０００６】
本考案の帽子体の無線ハンドフリー通話装置は、主に帽子体上に第一低周波送受信モジュールを設置し、該帽子体の使用者の耳に相対する位置に、前記第一低周波送受信モジュールと接続されたスピーカを設置し、使用者の口に相対する位置に前記第一低周波送受信モジュールと接続されたマイクロフォンを設け、別途携帯通話器材には第二低周波送受信モジュールを統合して設置し、該第一及び第二低周波送受信モジュールが帽子体のスピーカ及びマイクロフォンと携帯通話器材間の無線信号伝送を構成し、使用者が直接帽子体のマイクロフォンとスピーカを利用し通話相手と対話をすることができる。
【考案を実施するための最良の形態】
【０００７】
以下、本考案の構造組成と全体の動作方法について図面に基づき説明する。
【実施例１】
【０００８】
本考案の帽子体の無線ハンドフリー通話装置の全体の通信装置の基本構造組成を図１に示す。帽子体１０上に第一低周波送受信モジュール２１と、該第一低周波送受信モジュール２１を駆動するための電池（図には表示しない）を設ける。本実施例においては、帽子体１０上に電池を設置するための電池収納槽１５を設け、乾電池の電力を利用し前記第一低周波送受信モジュール２１を駆動する。当然、帽子体１０上に太陽エネルギー電池（図には表示しない）を設け、直接太陽エネルギーで第一低周波送受信モジュール２１を駆動することもできる。
【０００９】
また、該帽子体１０は、その使用者の耳に相対する位置に前記第一低周波送受信モジュール２１と接続されたスピーカ２２を設けると共に、使用者の口に相対する位置に前記第一低周波送受信モジュール２１と接続されたマイクロフォン２３を設ける。使用者が携帯する携帯通話器材３０は、第二低周波送受信モジュール３１を統合して備えており、直接携帯通話機材３０に設置された電池の電力で駆動される。これにより、使用者が携帯する携帯電話や無線通話機等、携帯通話機材３０に着信があったとき、前記第一及び第二低周波送受信モジュール２１、３１が帽子体１０のスピーカ及びマイクロフォンと携帯通話器材３０間の無線信号伝送を構成し、使用者が直接帽子体のマイクロフォンとスピーカを利用し通話相手と対話をすることができる。
【００１０】
図１の実施例においては、帽子体１０は頬保護部１１と下顎保護部１２を一体として備えた古フェイス型のヘルメットであるため、スピーカ２２を直接該帽子体１０の頬保護部１１内側に、マイクロフォン２３を該帽子体１０の下顎保護部１２内側にそれぞれ設置し、帽子体１０と確実に結合させることができ、且つ良い集音・発声効果を得ることができる。特に、実際に使用するとき、スピーカ２１とマイクロフォン２２の間のケーブルを装着する動作を省くことができ、使用上の利便性が高いだけでなく、スピーカ２１とマイクロフォン２２の脱落を防ぐことができる。
【実施例２】
【００１１】
また、該帽子体１０が、図２に示すようなキャップ型のヘルメットである場合、キャップ型の帽子体１０は頬保護部１１のみしか備えていないため、該頬保護部１１の箇所に、使用者の下顎の部位に向けて延伸した伸縮棒１３を設置し、且つスピーカ２２を該帽子体１０の頬保護部１１内側に、またマイクロフォン２３を該伸縮棒１３の先端にそれぞれ設置することで、同様に良い集音・発声品質を得ることができる。
【実施例３】
【００１２】
さらに、実施例３として図３、図４及び図５に本考案を作業帽、警帽、野球帽等頬保護部と下顎保護部を備えていない帽子体に応用した実施例をそれぞれ示す。  帽子体１０が頬保護部と下顎保護部を備えていないため、該帽子体１０の使用者の頭部の一側面に使用者の耳と下顎の方向に向けて延伸した支持棒１４を設け、該支持棒１４は該帽子体１０に収納可能または帽子体１０から取り外し可能とし、スピーカ２２は該支持棒１４の使用者の耳に相対する位置に設置し、マイクロフォン２３は該支持棒１４の使用者の下顎に相対する位置に設置することで、集音・発声品質と使用上の利便性を維持することができる。
【図面の簡単な説明】
【００１３】
【図１】本考案の実施例１のハンドフリー通話装置を示す立体図である。
【図２】本考案の実施例２のハンドフリー通話装置を示す立体図である。
【図３】本考案の実施例３のハンドフリー通話装置を示す立体図である。
【図４】本考案の実施例３の変形のハンドフリー通話装置を示す立体図である。
【図５】本考案の実施例３の変形のハンドフリー通話装置を示す立体図である。
【符号の説明】
【００１４】
１０      帽子体
１１      頬保護部
１２      下顎保護部
１３      伸縮棒
１４      支持棒
１５      電池収納槽
２１      第一低周波送受信モジュール
２２      スピーカ
２３      マイクロフォン
３０      携帯通話器材
３１      第二低周波送受信モジュール      
【図１】
0003109070.tif 000003
【図２】
0003109070.tif 000004
【図３】
0003109070.tif 000005
【図４】
0003109070.tif 000006
【図５】
0003109070.tif 000007